(57)【特許請求の範囲】
【請求項１】
内側に方形状の空間を有して枠状に形成された基体部と
該基体部外周より立ち上がる立ち上がり部とを備えた植樹用土収納部と、
前記植樹用土収納部の中央側に寄せて、かつ該植樹用土収納部の下端から垂下して接続され、前記方形状の空間を長手方向に向かい３つの空間に仕切る一対の脚と、を有し、
前記一対の脚は、前記植樹用土収納部との接続部から下方側に向け、先細り状に形成されると共に、脚の底面部は水平面として形成された、菜園用ブロック部材を、上下方向に複数段積み重ね、
地面に設置される菜園用ブロック部材の脚の長さは、積み重ねられる菜園用ブロック部材の脚の長さより長く形成されてなり、
上下に連通した内側の３つの空間に植樹用土を充填し、上下に位置する菜園用ブロック部材間及び地面上の菜園部分に斜面状の植樹部を形成すると共に、最上段の菜園用ブロック部材には山状の植樹部を形成してなり、該山状の植樹部には最下部の菜園用ブロック部材における空間内まで根が延出する草木を植樹し、前記根を上下方向に複数段積み重ねた前記菜園用ブロック部材の補強筋とした、
ことを特徴とする多段式箱庭型家庭菜園。
【請求項２】
内側に方形状の空間を有して枠状に形成された基体部と
該基体部外周より立ち上がる立ち上がり部とを備えた植樹用土収納部と、
前記植樹用土収納部の中央側に寄せて、かつ該植樹用土収納部の下端から垂下して接続され、前記方形状の空間を長手方向に向かい３つの空間に仕切る一対の脚と、を有し、
前記一対の脚は、前記植樹用土収納部との接続部から下方側に向け、先細り状に形成されると共に、脚の底面部は水平面として形成された、菜園用ブロック部材を、上下方向に複数段積み重ね、
地面に設置される菜園用ブロック部材の脚の長さは、積み重ねられる菜園用ブロック部材の脚の長さより長く形成されてなり、
上下に連通した内側の３つの空間に植樹用土を充填し、上下に位置する菜園用ブロック部材間及び地面上の菜園部分に斜面状の植樹部を形成すると共に、最上段の菜園用ブロック部材には山状の植樹部を形成してなり、該山状の植樹部には最下部の菜園用ブロック部材における空間内まで根が延出する草木を植樹し、前記根を上下方向に複数段積み重ねた前記菜園用ブロック部材の補強筋としてなり、
前記複数段積み重ねた菜園用ブロック部材は、上方に積み重ねる菜園用ブロック部材の大きさを下側の菜園用ブロック部材より小さくした、
ことを特徴とする多段式箱庭型家庭菜園。
【発明の詳細な説明】
【０００１】
【発明の属する技術分野】
本発明は、家庭用菜園に係り、特に立体的に形成された家庭用菜園に関するものである。
【０００２】
【従来の技術】
従来の家庭菜園はいわゆる平面的に形成されているものであり、菜園用の面積が小さければ、小さいなりの家庭菜園しか形成できないものであった。また、食糧自給率が約４０％程度と低い我が国において、将来的な食糧不足問題に遭遇したときに最低限の食糧自給を考慮しなければならないものであり、そのためにも小さな面積で比較的広い植樹用面積を確保できる家庭用菜園の開発が要請されていた。
【０００３】
【発明が解決しようとする課題】
かくして、本発明はこの様な従来の課題に対処するために、創案されたものであり、面積が小さくとも、最大限の植樹容積を確保でき、しかも耐久性があり、将来の食糧不足危機にも充分に対応することが出来るエバグリーン多段式箱庭型家庭菜園を提供することを目的とするものである。
【０００４】
【課題を解決するための手段】
本発明による多段式箱庭型家庭菜園は、
内側に方形状の空間を有して枠状に形成された基体部と該基体部外周より立ち上がる立ち上がり部とを備えた植樹用土収納部と、
前記植樹用土収納部の中央側に寄せて、かつ該植樹用土収納部の下端から垂下して接続され、前記方形状の空間を長手方向に向かい３つの空間に仕切る一対の脚と、を有し、
前記一対の脚は、前記植樹用土収納部との接続部から下方側に向け、先細り状に形成されると共に、脚の底面部は水平面として形成された、菜園用ブロック部材を、上下方向に複数段積み重ね、
地面に設置される菜園用ブロック部材の脚の長さは、積み重ねられる菜園用ブロック部材の脚の長さより長く形成されてなり、
上下に連通した内側の３つの空間に植樹用土を充填し、上下に位置する菜園用ブロック部材間及び地面上の菜園部分に斜面状の植樹部を形成すると共に、最上段の菜園用ブロック部材には山状の植樹部を形成してなり、該山状の植樹部には最下部の菜園用ブロック部材における空間内まで根が延出する草木を植樹し、前記根を上下方向に複数段積み重ねた前記菜園用ブロック部材の補強筋とした、
ことを特徴とし、
または、
内側に方形状の空間を有して枠状に形成された基体部と
該基体部外周より立ち上がる立ち上がり部とを備えた植樹用土収納部と、
前記植樹用土収納部の中央側に寄せて、かつ該植樹用土収納部の下端から垂下して接続され、前記方形状の空間を長手方向に向かい３つの空間に仕切る一対の脚と、を有し、
前記一対の脚は、前記植樹用土収納部との接続部から下方側に向け、先細り状に形成されると共に、脚の底面部は水平面として形成された、菜園用ブロック部材を、上下方向に複数段積み重ね、
地面に設置される菜園用ブロック部材の脚の長さは、積み重ねられる菜園用ブロック部材の脚の長さより長く形成されてなり、
上下に連通した内側の３つの空間に植樹用土を充填し、上下に位置する菜園用ブロック部材間及び地面上の菜園部分に斜面状の植樹部を形成すると共に、最上段の菜園用ブロック部材には山状の植樹部を形成してなり、該山状の植樹部には最下部の菜園用ブロック部材における空間内まで根が延出する草木を植樹し、前記根を上下方向に複数段積み重ねた前記菜園用ブロック部材の補強筋としてなり、
前記複数段積み重ねた菜園用ブロック部材は、上方に積み重ねる菜園用ブロック部材の大きさを下側の菜園用ブロック部材より小さくした、ことを特徴とするものである。
【０００５】
（作用）
本発明によれば、内側に方形状の空間を有して枠状に形成された基体部と該基体部外周より立ち上がる立ち上がり部とを備えた植樹用土収納部と、
前記植樹用土収納部の中央側に寄せて、かつ該植樹用土収納部の下端から垂下して接続され、前記方形状の空間を長手方向に向かい３つの空間に仕切る一対の脚と、を有し、前記一対の脚は、前記植樹用土収納部との接続部から下方側に向け、先細り状に形成されると共に、脚の底面部は水平面として形成された、菜園用ブロック部材を、上下方向に複数段積み重ねて構成する。
そして、地面に設置される菜園用ブロック部材の脚の長さは、積み重ねられる菜園用ブロック部材の脚の長さより長く形成されてなる。
さらに、上下に連通した内側の３つの空間に植樹用土を充填し、上下に位置する菜園用ブロック部材間及び地面上の菜園部分に斜面状の植樹部を形成すると共に、
最上段の菜園用ブロック部材には山状の植樹部を形成してなり、該山状の植樹部には最下部の菜園用ブロック部材における空間内まで根が延出する草木を植樹し、前記根を上下方向に複数段積み重ねた前記菜園用ブロック部材の補強筋としてある。
また、
前記複数段積み重ねた菜園用ブロック部材は、上方に積み重ねる菜園用ブロック部材の大きさを下側の菜園用ブロック部材より小さくした。
よって、菜園の狭い設置面積であってもその面積を最大限に利用した菜園形成できる。
また、該山状の植樹部には最下部の菜園用ブロック部材における空間内まで根が延出する草木を植樹してあるから、設置安定度の高い立体状菜園を形成できる。
【０００７】
【発明の実施の形態】
以下、図に基づいて説明する。まず、符号１は菜園用ブロック部材を示す。
該菜園用ブロック部材１は内側に空間２を有して枠状に形成された基体部３を備え、またこの基体部３の外周から上方へ立ち上がる立ち上がり部４を備えた植樹用土収納部５を有している。
【０００８】
またこの植樹用土収納部５の下端には一対の脚６，６が垂下して接続されており、菜園用ブロック部材１は植樹用土収納部５と一対の脚６，６とで構成されている。
ここで、一対の脚６，６は植樹用土収納部５の中央側に寄せて接続して構成されている（図２参照）。
【０００９】
この菜園用ブロック部材１をまず１個庭の所定箇所に設置する。その菜園用ブロック部材１の上方へさらに菜園用ブロック部材１を積み上げる。
第１実施例を示す図３では２段に積み重ねられている。次に積み重ねた菜園用ブロック部材１・・・の内部に植樹用の土を充填する。ここで、最上段の菜園用ブロック部材１から充填した植樹用土７は内部の空間２を通過して最下段の菜園用ブロック部材１の空間２から充たされる。
【００１０】
植樹用土７が充填された状態は図３に示されており、地面上に形成された菜園部分と第１段目の菜園用ブロック部材１との間、第１段目の菜園用ブロック部材１と第２段目の菜園用ブロック部材１との間においては、それぞれ緩やかな上り勾配状の斜面が形成される。この植樹用土７の敷設面積は広くとることができ、従来例を示した図１０と本発明の図３とを比較して理解されるように従来の平面的菜園より同じスペースを使用しながら約２倍以上の植樹面積を確保出来るものとなっている。
【００１１】
そして、最上段の菜園用ブロック部材１における山状の植樹用土７の敷設部には最下部の菜園用ブロック部材１における空間２内まで根が延出する草木を植樹すれば、その草木の根が補強筋の機能を果たし、立体状の菜園であっても設置安定度の高い菜園とすることができる。図４、図５は本発明の第２実施例を示す。
【００１２】
この発明では、複数段積み重ねた菜園用ブロック部材１・・・は、上方に積み重ねる菜園用ブロック部材１の大きさを下側の菜園用ブロック部材１より小さい形状のものとしてあり、立体状菜園の設置安定性の向上を図っている。また、第１段目の菜園用ブロック部材１と第２段目の菜園用ブロック部材１との間、第２段目の菜園用ブロック部材１と第３段目の菜園用ブロック部材１との間において、比較的広い植樹用土７の敷設面積スペースが確保できるものとなっている。
【００１３】
図７、図９は参考例を示すもので、この参考例では日照方向を考慮して立体的な家庭用菜園を構成してある。例えば図から理解されるように、図７、図８において向かって右から太陽光の照射があり、太陽の照射角度を考慮して家庭用菜園を形成するのである。この実施例によれば、菜園に植樹した草木すべてが太陽光の充分な照射が可能とされることになる。
【００１４】
【発明の効果】
かくして、本発明は以上の構成からなる。そして、本発明によるエバグリーン多段式箱庭型家庭菜園によれば、菜園の設置面積が狭い場合であっても、その設置面積を最大限に利用した植樹容積を確保でき、しかも耐久性が高く、将来の食糧不足危機にも充分に対応することが出来るものとなる。
【図面の簡単な説明】
【図１】参考例としての菜園用ブロック部材の構成を示す説明図である。
【図２】本発明による菜園用ブロック部材の構成を示す説明図（その１）である。
【図３】本発明による第１実施例を示す構成説明図である。
【図４】本発明による第２実施例を示す構成説明図（その１）である。
【図５】本発明による第２実施例を示す構成説明図（その２）である。
【図６】参考例としての菜園用ブロック部材の構成を示す説明図（その１）である。
【図７】参考例としての構成を示す説明図である。
【図８】参考例としての菜園用ブロック部材の構成を示す説明図（その２）である。
【図９】参考例としての構成を示す説明図（その２）である。
【図１０】従来例の構成を示す説明図である。
【符号の説明】
１ 菜園用ブロック部材
２ 空間
３ 基体部
４ 立ち上がり部
５ 植樹用土収納部
６ 脚
７ 植樹用土
【図１】
0004204079.tif 000002
【図２】
0004204079.tif 000003
【図３】
0004204079.tif 000004
【図４】
0004204079.tif 000005
【図５】
0004204079.tif 000006
【図６】
0004204079.tif 000007
【図７】
0004204079.tif 000008
【図８】
0004204079.tif 000009
【図９】
0004204079.tif 000010
【図１０】
0004204079.tif 000011